(57)【要約】メインソール（ＭＳ）は、爪先側の第１部（１１）と、第１部（１１）の後方に配置された第２部（１２）と、後端側の第３部（１３）とを包含し、第１部（１１）の後面において斜め上方の前方に延びる第１傾斜面（１１Ｆ）と、第２部（１２）の前面において斜め上方の前方に延びる第２傾斜面（１２Ｆ）とが、第１分割部（Ｄ１）を定義する。
2016208061.tif 000002
【特許請求の範囲】
【請求項１】
足の甲を包むアッパー３と、前記アッパー３に連なり足裏を覆うインソール４と、前記インソール４を下方から覆い足裏を支持するメインソールＭＳとを備えた靴であって、  前記メインソールＭＳは、爪先側の第１部１１と第１部１１の後方ＤＢに配置された第２部１２とを包含し、  前記第１部１１の後面は斜め上方の前方に延びる１つの傾斜面１１Ｆを包含し、  前記第２部１２の前面は斜め上方の前方に延びる別の傾斜面１２Ｆを包含し、  前記第１部１１の前記傾斜面１１Ｆと前記第２部１２の前記傾斜面１２Ｆとは互いに接しているか又は接する第１分割部Ｄ１を定義し、  前記第１分割部Ｄ１を股ぐように前記第１部１１と前記第２部１２とに架設され、前記第１部１１の前記傾斜面１１Ｆに対し前記第２部１２の前記傾斜面１２Ｆが回転可能な状態で前記第１部１１と前記第２部１２とを連結する架設部５Ｆが設けられ、  前記架設部５Ｆの一部は前記インソール４と前記第１部１１との間に配置され、  前記架設部５Ｆの他の一部は前記インソール４と前記第２部１２との間に配置されている。
【請求項２】
請求項１の靴において、前記架設部５Ｆは板状で前記メインソールＭＳとは別の部材で構成されている。
【請求項３】
請求項２の靴において、前記架設部５Ｆが前記メインソールＭＳに対し位置決めされるための第１および第２係合部１１Ｅ，１２Ｅを更に備え、前記第１係合部１１Ｅが前記第１部１１の上面に形成され、前記第２係合部１２Ｅが前記第２部１２の上面に形成されている。
【請求項４】
請求項３の靴において、前記第１部１１および第２部１２は前記架設部５Ｆが嵌る第１および第２凹所を各々定義し、前記第１および第２凹所は、それぞれ、前記第１および第２係合部１１Ｅ，１２Ｅを構成する。
【請求項５】
請求項２〜４のいずれか１項の靴において、前記架設部５Ｆの弾性率が前記インソール４の弾性率と同じか、またはそれよりも大きい。
【請求項６】
請求項２〜５のいずれか１項の靴において、前記第１分割部Ｄ１が平面視で前方ＤＦに向かって凸形状である。
【請求項７】
請求項２〜６のいずれか１項の靴において、前記架設部５Ｆは貫通孔５Ｈを定義し、前記貫通孔５Ｈは前記第１部１１から前記第２部１２にわたって配置されている。
【請求項８】
請求項２〜７のいずれか１項の靴において、前記第１分割部Ｄ１における前記架設部５Ｆの幅５Ｗが前記第１分割部Ｄ１における前記メインソールＭＳの幅Ｗの２５％〜１００％に設定されている。
【請求項９】
請求項２〜８のいずれか１項の靴において、前記架設部５Ｆの厚さは０．１ｍｍ〜５．０ｍｍに設定されている。
【請求項１０】
請求項１〜９のいずれか１項の靴において、前記メインソールＭＳの前端１Ｆから後端１Ｂまでの最大長さＬｍに対し、前記第１分割部Ｄ１の上端の内側縁１Ｍの位置は前記メインソールＭＳの前記後端１Ｂから前記メインソールＭＳの前後方向ＦＢに延びる中心軸Ｓに沿った６５％〜７５％の範囲に設定され、  前記メインソールＭＳの前記最大長さＬｍに対し、前記第１分割部Ｄ１の上端の外側縁１Ｌの位置は前記メインソールＭＳの前記後端１Ｂから前記メインソールＭＳの前記中心軸Ｓに沿った６０％〜７０％の範囲に設定されている。
【請求項１１】
請求項１〜１０のいずれか１項の靴において、  前記第１分割部Ｄ１の上端を前記メインソールＭＳの幅方向ＤＷに連ねたラインは、第１趾Ｂ１から第５趾Ｂ５の中足趾節間関節ＭＰよりも後方ＤＢに配置されるように適合され、かつ、第１趾から第５趾の中足骨Ｂ１，Ｂ５の骨底Ｂ１１，Ｂ５１よりも前方ＤＦに配置されるように適合されている。
【請求項１２】
請求項１〜１１のいずれか１項の靴において、前記第１部１１は前記第１分割部Ｄ１から前記メインソールＭＳの先端まで分割されることなく連なっている。
【請求項１３】
請求項１２の靴において、前記第１部１１は溝１１Ｇを定義し、前記溝１１Ｇは前記第１分割部Ｄ１の深さよりも浅く、かつ、前記メインソールＭＳの幅方向ＤＷに延びている。
【請求項１４】
請求項１〜１３のいずれか１項の靴において、前記メインソールＭＳは路面に接地するアウトソール２と、前記アウトソール２の上に配置されたミッドソール１とを包含し、  前記第１分割部Ｄ１において前記ミッドソール１およびアウトソール２が前後に分割されている。
【請求項１５】
請求項１〜１４のいずれか１項の靴において、  前記メインソールＭＳは前記第２部１２の後方ＤＢに配置された第３部１３を包含し、  第２部１２の後面および第３部１３の前面は、それぞれ、斜め上方の後方に延びている更に別の傾斜面１２Ｂ，１３Ｂを包含し、  第２部１２の傾斜面１２Ｂと第３部１３の傾斜面１３Ｂとは互いに接しているか又は接する第２分割部Ｄ２を定義する。
【請求項１６】
足の甲を包むアッパー３と、前記アッパー３に連なり足裏を覆うインソール４と、前記インソール４を下方から覆い足裏を支持するメインソールＭＳとを備えた靴であって、  前記メインソールＭＳは、爪先側の第１部１１と、第１部の後方ＤＢに配置された第２部１２と、後端側の第３部１３とを包含し、  前記第１部１１の後面は斜め上方の前方に延びる第１傾斜面１１Ｆを包含し、前記第２部１２の前面は斜め上方の前方に延びる第２傾斜面１２Ｆを包含し、  前記第１傾斜面１１Ｆと前記第２傾斜面１２Ｆとは互いに接しているか又は接する第１分割部Ｄ１を定義し、  前記第２部１２の後面は斜め上方の後方に延びる第３傾斜１２Ｂ面を包含し、前記第３部１３の前面は斜め上方の後方に延びる第４傾斜面１３Ｂを包含し、  前記第３傾斜面１２Ｂと前記第４傾斜面１３Ｂとは互いに接しているか又は接する第２分割部Ｄ２を定義する。
【請求項１７】
請求項１〜１６のいずれか１項の靴において、前記アッパー３は、  足を挿入する履き口３９の下方の側面３１，３２の中足部が補強された補強部３６と、  前記第２部１２の傾斜面１２Ｆが前記斜め上方の前方に移動しながら前記第２部１２の回転を許容するように、前記第１分割部Ｄ１の上方の側面の前足部が前記補強部３６よりも柔軟に形成された柔軟部３５とを備える。
【発明の詳細な説明】
【技術分野】
【０００１】本発明は前足部が分割された靴底を有する靴に関する。
【背景技術】
【０００２】  近時、裸足感覚での走行を行うための靴の人気が一部のファンの間で高まっている。これらの靴は、裸足感覚を追求している。【０００３】靴底には屈曲性能や緩衝性能などの種々の機能が求められる。前記屈曲性能の１つとして、前足のＭＰ（中足趾節間）関節やＩＰ（趾節間）関節の屈曲に応じて靴底が屈曲する機能が求められる。
【先行技術文献】
【特許文献】
【０００４】
【特許文献１】ＪＰ３，１１９，９７７Ｕ（フロントページ）
【特許文献２】ＪＰ２００７−８９７３４Ａ（フロントページ）
【特許文献３】ＪＰ２０００−１９７５０３Ａ（フロントページ）
【特許文献４】ＪＰ１１−１２３１０１Ａ（フロントページ）
【特許文献５】ＪＰ２００１−７０００４Ａ（フロントページ）
【特許文献６】ＪＰ２０１０−５０４８３９Ｗ（フロントページ）
【特許文献７】ＷＯ２０１３／１６８２５９Ａ１（フロントページ）
【発明の概要】
【０００５】ＪＰ３，１１９，９７７Ｕには歩行時の足長変化に対応することを狙った靴が開示されている。この先行技術では靴底の前半部の２箇所に屈曲を許容する溝が開示されている。
【０００６】  この先行技術においては前記屈曲の際に内底（インソール）が伸びるように、アッパーに屈曲軸が設定されている。
【０００７】  しかし、人の足趾の長さや関節の高さには大きなバラツキがある。前記先行技術ではアッパーの特定の位置に屈曲軸が設定されており、そのため、着用者の足の屈曲の中心が前記屈曲軸に合致しない場合が多いだろう。
【０００８】  また、前記屈曲軸が靴底の上面から離れた高い位置に配置されている。そのため、前記屈曲の際にインソールが大きく伸びる必要があり、これが前記屈曲の抵抗となるであろう。
【０００９】  また、前後に３分割されたミッドソールおよびアウトソールをアッパーに対し精度良く位置決めすることは容易ではない。したがって、商品ごとの性能にバラツキが生じ易いだろう。
【００１０】  本発明の１つの目的は裸足走行時の前足の関節の屈曲に応じて屈曲し易く、かつ、商品ごとの性能にバラツキの生じ難い靴を提供することである。
【００１１】ＷＯ２０１３／１６８２５９Ａ１には緩衝性を維持しつつ、ストレス無く走行できる靴が提案されている。この靴は、緩衝性を維持した状態で、走行時の接地期間中に発生する踵部の外反の抑制が期待されている。
【００１２】  しかし、この先行技術は裸足感覚を追求した提案ではない。そのため、裸足での走行時の関節の動きが得られない。
【００１３】  したがって、本発明の他の目的は、裸足走行よりも緩衝性能に優れ、かつ、裸足走行時の関節の動きに近い状態が得られる靴を提供することである。
【００１４】  本発明は第１の局面において、足の甲を包むアッパー３と、前記アッパー３に連なり足裏を覆うインソール４と、前記インソール４を下方から覆い足裏を支持するメインソールＭＳとを備えた靴であって、  前記メインソールＭＳは、爪先側の第１部１１と第１部１１の後方ＤＢに配置された第２部１２とを包含し、  前記第１部１１の後面は斜め上方の前方に延びる１つの傾斜面１１Ｆを包含し、  前記第２部１２の前面は斜め上方の前方に延びる別の傾斜面１２Ｆを包含し、  前記第１部１１の前記傾斜面１１Ｆと前記第２部１２の前記傾斜面１２Ｆとは互いに接しているか又は接する第１分割部Ｄ１を定義し、  前記第１分割部Ｄ１を股ぐように前記第１部１１と前記第２部１２とに架設され、前記第１部１１の前記傾斜面１１Ｆに対し前記第２部１２の前記傾斜面１２Ｆが回転可能な状態で前記第１部１１と前記第２部１２とを連結する架設部５Ｆが設けられ、  前記架設部５Ｆの一部は前記インソール４と前記第１部１１との間に配置され、  前記架設部５Ｆの他の一部は前記インソール４と前記第２部１２との間に配置されている。
【００１５】  この局面において、第１部１１と第２部１２とを連結する架設部５Ｆはインソール４と第１部１１との間に配置され、かつ、インソール４と第２部１２との間に配置されている。したがって、架設部５Ｆを介して連結された第１部１１と第２部１２とが互いに位置決めされ易い。その結果、メインソールＭＳとアッパー３との位置決め精度が向上し、商品ごとの性能のバラツキが生じにくいだろう。
【００１６】フラットからヒールライズに至る際に第２部１２の第２傾斜面１２Ｆは第１分割部Ｄ１において回転する。ここで、前記第２傾斜面１２Ｆが斜め上方の前方に延びており、そのため、路面と第１部１１との間で第２部１２が挟まれることなく、スムースに第２部１２が上方に回転するだろう。その結果、ＭＰ関節がスムースに屈曲し、裸足感覚に近い走行感が得られるだろう。
【００１７】  ヒールライズの際に第１部１１の後端部には中足骨の骨頭において大きな圧縮力が負荷される。かかる負荷は第１部１１の傾斜面１１Ｆが斜め上方の前方に延びていることにより第１部１１によって支え易いだろう。
【００１８】本明細書において、傾斜面と傾斜面とが接しているとは、非着用時において両面の少なくとも一部同士が互いに接していることを意味する。この場合、着用中の前足の荷重をメインソールＭＳで支え易い。一方、傾斜面と傾斜面とが接するとは、着用中のヒールコンタクトからヒールライズに至る間において、好ましくは少なくとも静止立位（（荷重／靴のサイズ）＝１ｋｇｆ／ｃｍ）において、前記両面の少なくとも一部同士が互いに接していることを意味する。この場合、非着用時の前記両面の距離の最小値は、０．０ｍｍよりも大きく２．０ｍｍよりも小さいのが好ましく、１．０ｍｍよりも小さいのが更に好ましく、０．５ｍｍよりも小さいのが最も好ましい。
【００１９】本発明は第２の局面において、足の甲を包むアッパー３と、前記アッパー３に連なり足裏を覆うインソール４と、前記インソール４を下方から覆い足裏を支持するメインソールＭＳとを備えた靴であって、  前記メインソールＭＳは、爪先側の第１部１１と、第１部の後方ＤＢに配置された第２部１２と、後端側の第３部１３とを包含し、  前記第１部１１の後面は斜め上方の前方に延びる第１傾斜面１１Ｆを包含し、前記第２部１２の前面は斜め上方の前方に延びる第２傾斜面１２Ｆを包含し、  前記第１傾斜面１１Ｆと前記第２傾斜面１２Ｆとは互いに接しているか又は接する第１分割部Ｄ１を定義し、  前記第２部１２の後面は斜め上方の後方に延びる第３傾斜１２Ｂ面を包含し、前記第３部１３の前面は斜め上方の後方に延びる第４傾斜面１３Ｂを包含し、前記第３傾斜面１２Ｂと前記第４傾斜面１３Ｂとは互いに接しているか又は接する第２分割部Ｄ２を定義する。
【００２０】この局面において、踵のみが接地するヒールコンタクトから足裏全体が接地するフットフラットに至る期間において、第２分割部Ｄ２を境にして第２部１２と第３部１３とが相対回転することが可能である。この回転は足の距骨下関節ＳＴＪや横足根関節ＭＴＪの回転を許容し易いだろう。
【００２１】一方、前述のとおり、フットフラットからヒールライズに至る期間においては、ＭＰ関節のスムースな屈曲を許容するだろう。
【００２２】このように、分割されたメインソールＭＳは各関節の屈曲や回転を許容する。その結果、裸足感覚に近い走行感が得易いだろう。
【００２３】なお、第２分割部Ｄ２の第３および第４傾斜面１２Ｂ，１３Ｂは斜め上方の後方に延びており、そのため、接地直後の荷重が負荷される第３部１３が下方に向かって広がる形状となり、したがって、前記荷重を第３部１３で支え易いだろう。
【図面の簡単な説明】
【００２４】
【図１】図１は本発明の一実施例の靴を示す内側面図である。
【図２】図２は同外側面図である。なお、図１および図２において、メッシュ地の表れている部位にはドット模様が付されている。
【図３】図３は底面側から見た靴底の斜視図である。
【図４】図４は靴底の底面図である。
【図５】図５はミッドソールの平面図である。
【図６】図６Ａ、図６Ｂ、図６Ｃ、図６Ｄ、図６Ｅ、図６Ｆおよび図６Ｇは、それぞれ，図４の断面線に沿った断面図である。
【図７】図７は第１部〜第３部を互いに分解して示すミッドソールの分解斜視図である。
【図８】図８はインソールをメインソールから分解して示す分解斜視図である。なお、図８において、パドルの表面にはドット模様が付されている。
【図９】図９はヒールライズにおける靴の外側面図である。
【図１０】図１０はヒールコンタクトにおける靴の外側面図である。
【図１１】図１１Ａ、図１１Ｂおよび図１１Ｃは、それぞれ、足の骨格を示す内側面図、平面図および外側面図である。
【図１２】図１２Ａおよび図１２Ｂは、それぞれ、足が外反および内旋する様子を示す着用中の靴の背面図および斜視図である。
【図１３】図１３Ａ、図１３Ｂ、図１３Ｃ、図１３Ｄおよび図１３Ｅは、それぞれ、テストサンプルを示す概略外側面図である。なお、これらの図において、柔軟部にはドット模様が付されている。
【図１４】図１４Ａ、図１４Ｂおよび図１４Ｃは、それぞれ、テスト結果を示すグラフである。
【図１５】図１５Ａ、図１５Ｂおよび図１５Ｃは、それぞれ、テスト結果を示すグラフである。
【図１６】他の実施例を示す靴の外側面図である。
【図１７】図１７Ａ、図１７Ｂ、図１７Ｃ、図１７Ｄ、図１７Ｅ、図１７Ｆおよび図１７Ｇは、それぞれ、更に他の実施例を示す断面図である。
【発明を実施するための形態】
【００２５】前記各局面において好ましくは、前記架設部５Ｆは板状で前記メインソールＭＳとは別の部材で構成されている。本好ましい例は、架設部５ＦをメインソールＭＳで形成する場合に比べ、靴底を製造し易いだろう。
【００２６】前記各局面において更に好ましくは、前記架設部５Ｆが位置決めされるための第１および第２係合部１１Ｅ，１２Ｅを更に備え、前記第１係合部１１Ｅが前記第１部１１の上面に形成され、前記第２係合部１２Ｅが前記第２部１２の上面に形成されている。この場合、架設部５Ｆが第１部１１および第２部１２に対し位置決めされ易い。その結果、第１部１１と第２部１２との位置決め精度が更に向上するだろう。
【００２７】  更に好ましくは、前記第１部１１および第２部１２は前記架設部５Ｆが嵌る第１および第２凹所を各々定義し、前記第１および第２凹所は、それぞれ、前記第１および第２係合部１１Ｅ，１２Ｅを構成する。  この場合、架設部５Ｆは第１部１１および第２部１２の凹所に嵌り、そのため、位置決めされ易い。その結果、第１部１１と第２部１２との位置決め精度が更に向上するだろう。
【００２８】  前記各局面において好ましくは、前記架設部５Ｆの弾性率が前記インソール４の弾性率と同じか、またはそれよりも大きい。  この場合、弾性率（ヤング率）の大きい架設部５Ｆは第１部１１が不用意に上方に反るのを抑制するだろう。
【００２９】前記各局面において好ましくは、前記第１分割部Ｄ１が平面視で前方ＤＦに向かって凸形状である。このような凸形状の第１分割部Ｄ１は第１部１１と第２部１２との位置決め精度を向上させる。
【００３０】前記各局面において好ましくは、前記架設部５Ｆは貫通孔５Ｈを定義し、前記貫通孔５Ｈは前記第１部１１から前記第２部１２にわたって配置されている。かかる場合、架設部５ＦにおいてメインソールＭＳが屈曲し易い。
【００３１】  前記各局面において好ましくは、前記第１分割部Ｄ１における前記架設部５Ｆの幅５Ｗが前記第１分割部Ｄ１における前記メインソールＭＳの幅Ｗの２５％〜１００％に設定されている。  前記幅５Ｗの大きい架設部５Ｆは前記位置決め精度を向上させる。
【００３２】前記各局面において好ましくは、前記架設部５Ｆの厚さは０．１ｍｍ〜５．０ｍｍに設定されている。この場合、薄い架設部５Ｆは軽量維持に寄与すると共に、足裏に違和感を生じさせにくい。
【００３３】前記各局面において好ましくは、前記メインソールＭＳの前端１Ｆから後端１Ｂまでの最大長さＬｍに対し、前記第１分割部Ｄ１の上端の内側縁１Ｍの位置は前記メインソールＭＳの前記後端１Ｂから前記メインソールＭＳの前後方向ＦＢに延びる中心軸Ｓに沿った６５％〜７５％の範囲に設定され、  前記メインソールＭＳの前記最大長さＬｍに対し、前記第１分割部Ｄ１の上端の外側縁１Ｌの位置は前記メインソールＭＳの前記後端１Ｂから前記メインソールＭＳの前記中心軸Ｓに沿った６０％〜７０％の範囲に設定されている。この場合、第１分割部Ｄ１は平面視において中足骨の骨頭を連ねた仮想のラインに沿い易いだろう。
【００３４】  前記各局面において好ましくは、前記第１分割部Ｄ１の上端を前記メインソールＭＳの幅方向ＤＷに連ねたラインは、第１趾Ｂ１から第５趾Ｂ５の中足趾節間関節ＭＰよりも後方ＤＢに配置されるように適合され、かつ、第１趾から第５趾の中足骨Ｂ１，Ｂ５の骨底Ｂ１１，Ｂ５１よりも前方ＤＦに配置されるように適合されている。  この場合、第１分割部Ｄ１は前記仮想のラインに更に沿い易いだろう。
【００３５】  前記各局面において好ましくは、前記第１部１１は前記第１分割部Ｄ１から前記メインソールＭＳの先端まで分割されることなく連なっている。  この場合、爪先の屈曲感が不連続になるのを抑制し得る。
【００３６】  更に好ましくは、前記第１部１１は溝１１Ｇを定義し、前記溝１１Ｇは前記第１分割部Ｄ１の深さよりも浅く、かつ、前記メインソールＭＳの幅方向ＤＷに延びる。  この場合、ＭＰ関節よりも屈曲角度が小さい趾節間関節のスムースな屈曲が得られるだろう。
【００３７】  前記各局面において好ましくは、前記メインソールＭＳは路面に接地するアウトソール２と、前記アウトソール２の上に配置されたミッドソール１とを包含し、  前記第１分割部Ｄ１において前記ミッドソール１およびアウトソール２が前後に分割されている。  ミッドソール１およびアウトソール２が第１分割部Ｄ１で分割されていることにより、前記各利点が発揮され易い。
【００３８】前記第１の局面において好ましくは、  前記メインソールＭＳは前記第２部１２の後方ＤＢに配置された第３部１３を包含し、  第２部１２の後面および第３部１３の前面は、それぞれ、斜め上方の後方に延びる更に別の傾斜面１２Ｂ，１３Ｂを包含し、  第２部１２の傾斜面１２Ｂと第３部１３の傾斜面１３Ｂとは互いに接しているか又は接する第２分割部Ｄ２を定義する。  この場合、前述のとおり、裸足走行に近い感覚が更に得易いだろう。
【００３９】  前記各局面において好ましくは、前記アッパー３は、足を挿入する履き口３９の下方の側面３１，３２の中足部が補強された補強部３６と、  前記第２部１２の傾斜面１２Ｆが前記斜め上方の前方に移動しながら前記第２部１２の回転を許容するように、前記第１分割部Ｄ１の上方の側面の前足部が前記補強部３６よりも柔軟に形成された柔軟部３５とを備える。  この場合、アッパー３の柔軟部３５により第１分割部Ｄ１におけるメインソールＭＳの屈曲の自由度が向上する。また、柔軟部３５は前記第２部１２の傾斜面１２Ｆが斜めに移動しながら回転するのを許容する。そのため、着用者ごとの個体差に応じて第１分割部Ｄ１が屈曲するだろう。  一方、アッパー３の中足部は柔軟部３５よりも剛性の大きい補強部３６を有しており、足を安定した状態で包むアッパー３の機能は損なわれにくい。
【００４０】１つの前記各実施態様または下記の実施例に関連して説明および／または図示した特徴は、１つまたはそれ以上の他の実施態様または他の実施例において同一または類似な形で、および／または他の実施態様または実施例の特徴と組み合わせて、または、その代わりに利用することができる。
【実施例】
【００４１】本発明は、添付の図面を参考にした以下の好適な実施例の説明からより明瞭に理解されるであろう。しかし、実施例および図面は単なる図示および説明のためのものであり、本発明の範囲を定めるために利用されるべきものではない。本発明の範囲は請求の範囲によってのみ定まる。添付図面において、複数の図面における同一の部品番号は、同一または相当部分を示す。【００４２】以下、本発明の実施例１が図１〜図１０にしたがって説明される。本実施例は例えばランニングないしウォーキング用の靴の靴底である。図１に示すメインソールＭＳはゴム製のアウトソール２と樹脂製のミッドソール１とを備える。メインソールＭＳの上には足の甲を包むアッパー３が設けられる。【００４３】ミッドソール１は例えばＥＶＡのような樹脂製の発泡体からなるミッドソール本体を備える、更に、強化装置を備えていてもよい。「樹脂製」とは、熱可塑性等の樹脂成分を有するという意味で、任意の適宜の他の成分を含む。ミッドソール１の上面には例えば高反発材からなる図８のパドル５が設けられている。【００４４】図１のアウトソール２は前記ミッドソール本体の発泡体よりも耐摩耗性の大きい接地底で、一般に、ミッドソール本体の発泡体よりも硬度が大きい。なお、「ゴム製」とは天然ゴムや合成ゴムの成分を有するという意味で、任意の他の成分を含む。【００４５】図３〜図５に示すように、本実施例のミッドソール１および図８のインソール４は足裏の概ね全面を覆う。一方、図１および図２に示すように、アウトソール２はミッドソール１の下面に付着され足裏を部分的に覆う。すなわち、ミッドソール１およびアウトソール２を包含する図８のメインソールＭＳはインソール４を下方から覆い足裏を支持する。【００４６】図８および図６Ｂ〜図６Ｇのインソール４は、図２のアッパー３に連なる。アッパー３は足の甲を包むような形状に形成されている。なお、靴はアッパー３を足にフィットさせるためのシューレースを有していてもよい。【００４７】  前記メインソールＭＳは、爪先側の第１部１１と、第１部の後方ＤＢに配置された第２部（後部）１２と、後端側の第３部１３（後端部）とに分割されている。【００４８】  前記第１部１１の後面は斜め上方の前方に延びる第１傾斜面１１Ｆを包含する。前記第２部１２の前面は斜め上方の前方に延びる第２傾斜面１２Ｆを包含する。前記第１傾斜面１１Ｆと前記第２傾斜面１２Ｆとは互いに接しているか又は接する第１分割部Ｄ１を定義する。【００４９】  前記第２部１２の後面は斜め上方の後方に延びる第３傾斜１２Ｂ面を包含する。前記第３部１３の前面は斜め上方の後方に延びる第４傾斜面１３Ｂを包含する。前記第３傾斜面１２Ｂと前記第４傾斜面１３Ｂとは互いに接しているか又は接する第２分割部Ｄ２を定義する。  前記第１および第２分割部Ｄ１，Ｄ２において前記ミッドソール１およびアウトソール２が前後に分割されている（図７参照）。【００５０】  図９に示すように、前記第１分割部Ｄ１の下部が開くように、前記第１部１１の前記第１傾斜面１１Ｆに対し前記第２部１２の前記第２傾斜面１２Ｆが回転可能に設定されている。また、図１０に示すように、前記第２分割部Ｄ２の下部が開くように、前記第��部１２の前記第３傾斜面１２Ｂに対し前記第３部１３の前記第４傾斜面１３Ｂが回転可能に設定されている。【００５１】  図５において、前記メインソールＭＳの前端１Ｆから後端１Ｂまでの最大長さＬｍに対し、前記第１分割部Ｄ１の上端の内側縁１Ｍの位置は前記メインソールＭＳの前記後端１Ｂから前記メインソールＭＳの前後方向ＦＢに延びる中心軸Ｓ（図４）に沿った６５％〜７５％の範囲に設定されている。【００５２】  前記メインソールＭＳの前記最大長さＬｍに対し、前記第１分割部Ｄ１の上端の外側縁１Ｌの位置は前記メインソールＭＳの前記後端１Ｂから前記メインソールＭＳの前記中心軸Ｓに沿った６０％〜７０％の範囲に設定されている。【００５３】第１分割部Ｄ１がこのような範囲に設定された場合、前記第１分割部Ｄ１の上端を前記メインソールＭＳの幅方向ＤＷに連ねたラインは、第１趾Ｂ１から第５趾Ｂ５の中足趾節間関節ＭＰよりも後方ＤＢに配置され、かつ、第１趾から第５趾の中足骨Ｂ１，Ｂ５の骨底Ｂ１１，Ｂ５１よりも前方ＤＦに配置される。より好ましくは、前記ラインは中足骨の骨頭Ｂ１２，Ｂ５２よりも後方ＤＢに配置される。なお、骨底とは各骨における後方の関節に近い部位で若干膨らんだ部位をいい、近位骨頭とも呼ばれている。一方、骨頭とは各骨における前方の関節に近い部位で若干膨らんだ部位をいい、遠位骨頭とも呼ばれている。【００５４】図４において、前記第１分割部Ｄ１は平面視で前方ＤＦに向かって凸形状である。一方、第２分割部Ｄ２は平面視で後方ＤＢに向かって凸形状である。【００５５】本実施例の場合、前記第１部１１は前記第１分割部Ｄ１から前記メインソールＭＳの先端まで分割されることなく連なっている。前記第１部１１は溝１１Ｇを定義し、図１の前記溝１１Ｇは前記第１分割部Ｄ１の深さよりも浅く、かつ、図４の前記メインソールＭＳの幅方向ＤＷに延びる。【００５６】前記第２部（後部）１２は前記後面から前方ＤＦに向かって延びる。前記第２部１２は前記後面よりも前方ＤＦにおいて溝１２Ｇを定義する。前記溝１２Ｇは前記第２分割部Ｄ２（図１）の深さよりも浅く、かつ、メインソールＭＳの幅方向Ｗに延びる。【００５７】つぎに、図８のパドル５について説明する。パドル５はメインソールＭＳとは別の部材で形成されている。前記パドル５の弾性率はインソール４の弾性率以上であり、更に好ましくは、インソール４の弾性率よりも大きい。前記パドル５は厚さが０．１ｍｍ〜５．０ｍｍ、より好ましくは０．５ｍｍ〜１．５ｍｍの樹脂製の平板で形成されている。【００５８】前記パドル５は第１部〜第３部１１〜１３にわたって配置されている。前記パドル５はミッドソール１の上面とインソール４の下面との間に挟まれる。前記パドル５は前足側の架設部５Ｆと後足後の架設部５Ｂとを備える。【００５９】  図８の前足側の前記架設部５Ｆの一部は前記インソール４と前記第１部１１との間に配置されている。一方、前記架設部５Ｆの他の一部は前記インソール４と前記第２部１２との間に配置されている。【００６０】  後足側の前記架設部５Ｂの一部は前記インソール４と前記第２部１２との間に配置されている。一方、前記架設部５Ｂの他の一部は前記インソール４と前記第３部１３との間に配置されている。【００６１】図８の前足側の前記架設部５ＦがメインソールＭＳに対し位置決めされるために、第１係合部１１Ｅが前記第１部１１の上面に形成され、かつ、第２係合部１２Ｅが前記第２部１２の上面に形成されている。図７の前記第１部１１および第２部１２は前記架設部５Ｆ（図８）が嵌る第１および第２凹所を各々定義し、前記第１および第２凹所は、それぞれ、前記第１および第２係合部１１Ｅ，１２Ｅを構成する。【００６２】図８の後足側の前記架設部５ＢがメインソールＭＳに対し位置決めされるために、第２係合部１２Ｅが前記第２部１２の上面に形成され、かつ、第３係合部１３Ｅが前記第３部１３の上面に形成されている。図７の前記第２部１２および第３部１３は前記架設部５Ｂ（図８）が嵌る凹所を各々定義し、各々の凹所は、それぞれ、前記各係合部１２Ｅ，１３Ｅを構成する。【００６３】図５において、前記第１および第２分割部Ｄ１，Ｄ２における前記架設部５Ｆ，５Ｂの幅５Ｗｆ，Ｗｂは、それぞれ、前記メインソールＭＳの幅Ｗの２５％〜１００％に設定されている。【００６４】図８において、前記架設部５Ｆ，５Ｂは複数の貫通孔５Ｈを定義する。前足側の前記貫通孔５Ｈは前記第１部１１から前記第２部１２にわたって配置されている。後足側の前記貫通孔５Ｈは第２部１２から第３部１３にわたって配置される。なお、後足側の貫通孔５Ｈは第３部１３が幅方向ＤＷに変位し易いような構造とするのが好ましい。【００６５】図８の前足側の架設部５Ｆは前記第１分割部Ｄ１を股ぐように前記第１部１１と前記第２部１２とに架設され、図９のように、前記第１部１１の前記傾斜面１１Ｆに対し前記第２部１２の前記傾斜面１２Ｆが回転可能な状態で前記第１部１１と前記第２部１２とを連結する。【００６６】図８の後足側の架設部５Ｂは前記第２分割部Ｄ２を股ぐように前記第２部１２と前記第３部１３とに架設され、図１０のように、前記第３部の前記傾斜面１３Ｂに対し前記第２部１２の前記傾斜面１２Ｂが回転可能な状態で前記第２部１２と前記第３部１３とを連結する。【００６７】図４において、前記第２分割部Ｄ２は内外の中央部１３Ｃから斜め前方ＤＦの外側に延びる斜め部１３１を有する。前記メインソールＭＳの前後方向ＦＤに延びる中心軸Ｓに直交する仮想の横断線ＶＬと前記第２分割部Ｄ２の前記斜め部１３１とのなす角αは１０°〜４０°の範囲に設定されている。前記第２分割部Ｄ２の内側縁１Ｍは前記第２分割部Ｄ２の外側縁１Ｌよりも後方ＤＢに配置されている。【００６８】後足部において、図１の前記アッパー３の内側面３１は前後に互いに分かれた内側高剛性部３１Ｈと前記内側高剛性部３１Ｈよりも屈曲し易い内側柔軟部３１Ｓとを備える。図２の前記アッパー３の外側面３２は前後に互いに分かれた外側高剛性部３２Ｈと前記外側高剛性部３２Ｈよりも屈曲し易い外側柔軟部３２Ｓとを備える。【００６９】  図１の前記内側高剛性部３１Ｈの前縁部および／または前記内側柔軟部３１Ｓは前記第２分割部Ｄ２の内側縁１Ｍの上端部から斜め上方の後方に向かって延びる。また、図２の外側高剛性部３２Ｈの前縁部および／または前記外側柔軟部３２Ｓは前記第２分割部Ｄ２の外側縁１Ｌの上端部から斜め上方の後方���向かって延びる。なお、「上端部から」とは上端およびその近傍の部位からということを意味する。【００７０】  前記各高剛性部は例えば合成樹脂のプレートで形成されていてもよい。前記各低剛性部は例えばメッシュ地、編物、織物または不織布などの生地（布帛）で形成されていてもよい。【００７１】  図１の前記内側柔軟部３１Ｓには前記内側柔軟部３１Ｓが前後方向ＦＢに伸張するのを抑制する帯状の複数本の抑制部材３４Ｍが配置されている。図２の前記外側柔軟部３２Ｓには前記外側柔軟部３２Ｓが前後方向ＦＤに伸張するのを抑制する帯状の別の複数本の抑制部材３４Ｌが配置されている。【００７２】前記抑制部材としては、櫛状の薄いフィルムが前記メッシュ地の表面に接着ないし溶着（転写印刷を含む）されていてもよい。【００７３】前記第１分割部Ｄ１の真上を含む前足部において、前記アッパー３の前記柔軟部３５は例えばメッシュ地、編物、織物または不織布などの布帛状の生地の様な低剛性の素材で形成されている。かかる柔軟部３５は第２部１２の傾斜面１２Ｆが、図９のように、斜め上方の前方に移動しながら回転するのを許容する。【００７４】つぎに、靴の製造工程の一部について説明する。図８に示すように、第１、第２および第３部１１〜１３の凹所からなる係合部１１Ｅ〜１３Ｅにはパドル５が適合されて、ミッドソール１の上面にパドル５が付着（接着）される。これにより、第１部１１と第２部１２が相対的に位置決めされ、また、第２部１２と第３部１３とが相対的に位置決めされる。【００７５】前記パドル５により一体となったミッドソール１は、図示しないアッパー３（図１）と一体のインソール４の裏面に接着される。この際、インソール４およびアッパー３は周知の足型（ラスト）に包まれた状態であるが、前述のように、ミッドソール１が前後に分離されておらず、そのため、前記接着時にミッドソール１がインソール４に対し位置決めされ易い。【００７６】つぎに、走行時の靴の前足部の挙動について説明する。【００７７】図２の非着用時には、第１分割部Ｄ１の第１傾斜面１１Ｆと第２傾斜面１２Ｆとは一部において互いに接しているが、第１分割部Ｄ１の第１傾斜面１１Ｆと第２傾斜面１２Ｆとの間には、製造上の誤差などにより若干の隙間が生じている場合がある。しかし、靴を着用した静止立位や走行中のフットフラットの際には、ミッドソール１の圧縮変形などにより、前記第１傾斜面１１Ｆと第２傾斜面１２Ｆとは互いに強い圧力で接する。そのため、足を安定した状態で支えることができるだろう。【００７８】ヒールライズの際に、図９のように、アッパー３およびメインソールＭＳが屈曲して、第１部１１に対し第２部１２が回転するように変位する。前述のように、ミッドソール１はパドル５（図８）を介してアッパー３に接合されている。そのため、第１部１１に対し第２部１２は第１分割部Ｄ１の上端付近を中心に回転する。【００７９】一方、アッパー３の前足部は圧縮されるが、本実施例のアッパー３の前記第１分割部Ｄ１の真上および前後の柔軟部３５は例えば前記メッシュ地のような柔軟材で形成されており、前記柔軟部３５に皺３５Ｗが容易に生じ、そのため、前記回転を阻害しにくいだろう。例えば、前記柔軟部３５は屈曲の中心を定めておらず、そのため、足の屈曲に伴って前記第２部１２の傾斜面１２Ｆは前記斜め上方の前方に移動しながら回転する。【００８０】つぎに、人の後足の構造について図１１Ａ〜図１２Ｂを用いて簡単に説明する。【００８１】図１１Ａ〜図１１Ｃに示すように、足首の下方には、距骨下関節（ＳＴＪ）及び横足根関節（ＭＴＪ）が存在する。これらの関節ＳＴＪおよびＭＴＪは、それぞれ、軸Ｓｓ、軸Ｓｍを中心に回転することができる。これらの軸Ｓｓ，Ｓｍは交差面Ｂｓ，Ｂｍに直交する。前記交差面Ｂｓ，Ｂｍは図１１Ａおよび図１１Ｃにおいて鉛直面に対し４２°および１５°程度傾斜した傾斜面である。また、前記交差面Ｂｓ，Ｂｍは図１１Ｂにおいて足の長軸に対し２０°および９°程度傾いた傾斜面である。【００８２】前記交差面の角度を考慮すると、図２の前記第２分割部Ｄ２の傾斜面１２Ｂ，１３Ｂが鉛直面となす角α２は、足の外側において５°〜４５°程度が好ましく、１０°〜４０°程度が更に好ましく、１５°〜３５°程度が最も好ましい。【００８３】一方、図２の前記第１分割部Ｄ１の傾斜面１２Ｆ，１３Ｆが鉛直面となす角α１は、足の外側において２０°〜７０°程度が好ましく、２５°〜６５°程度が更に好ましく、３０°〜６０°程度が最も好ましい。【００８４】つぎに、走行において生じるプロネーションのメカニズムについて簡単に説明する。走行時の接地後には、まず、図１１Ａ〜図１１Ｃの前記関節ＳＴＪが回転することで図１２Ａのように踵が外反する。その後、図１１Ａ〜図１１Ｃの前記関節ＳＴＪの回転に連動して前記関節ＭＴＪが回転することで、図１２Ｂのように下腿が内旋する。これにより、プロネーションが発生する。裸足走行時に近い関節の動きを得るには、前記関節ＳＴＪ、ＭＴＪ、外反および内旋の動作を阻害せずに許容する靴の構造が必要であると考えられる。【００８５】つぎに、走行中の靴の後足部の挙動について説明する。図１の実施例のメインソールＭＳは後足の第２分割部Ｄ２が斜め上方の後方に向かって延び、かつ、図５の第２分割部Ｄ２は外側において斜め部１３１を有する。それ故、図１０のファストストライクのような接地直後において、第２分割部Ｄ２の下部が開くように変位し、前記図１１Ａ〜図１１Ｃの関節ＳＴＪ，ＭＴＪ、図１２Ａの外反および図１２Ｂの内旋の動作を妨げにくいだろう。したがって、裸足走行時に近似したプロネーションの動作を実現し易いだろう。【００８６】  一方、前記接地直後において、図１０の第３部１３には大きな衝撃荷重が負荷される。しかし、前記第３部１３と第２部１２とは第２分割部Ｄ２において互いに接しており、互いに分割されている。そのため、前記第２部１２に対し分割された第３部１３は接地後に変形し易いだろう。したがって、優れた緩衝性能が得られるだろう。【００８７】また、図１０のヒールコンタクトから図２のフットフラットに状態が遷移する際には、前記第３部１３に第２部１２が接している。そのため、前記遷移がスムースに実行されるだろう。したがって、裸足走行時の関節の動きが得易いだろう。【００８８】図１０の接地直後においては、メインソールＭＳが屈曲して第２部１２に対して第３部１３が回転するように変位する。前述のよ���に、ミッドソール１はパドル５（図８）を介してアッパー３に接合されている。そのため、第２部１２に対して第３部１３は第２分割部Ｄ２の上端付近を中心に回転する。【００８９】一方、図２と図１０の比較からわかるように、接地直後のヒールコンタクトにおいてアッパー３の第２分割部Ｄ２の斜め上方の後方の部位は、前記第２部１２に対し第３部が回転するのに伴い圧縮される。本実施例のアッパー３は柔軟部３２Ｓ，３１Ｓ（図１）を有しており、そのため、図２の前記柔軟部３２Ｓ，３１Ｓ（図１）が図１０のように容易に縮む（皺が生じて縮む）だろう。したがって、第２分割部Ｄ２における前記回転が阻害されにくいだろう。【００９０】図９のヒールライズの状態において、一般に、足の踵はアッパー３内で浮き上がり易い。本実施例の場合、柔軟部３２Ｓ，３１Ｓ（図１）が存在するが、前記柔軟部３２Ｓ，３１Ｓ（図１）には抑制部材３４Ｌ，３４Ｍ（図１）が設けられている。それ故、前記ヒールライズの際にアッパー３が柔軟部において伸張するのを抑制でき、その結果、アッパー３内で踵が浮き上がるのを抑制し得る。【００９１】つぎに、本実施例の効果を明瞭にするために、比較例および試験例を示す。まず、比較例として図１３Ａの分割部Ｄ１，Ｄ２を有していないテストサンプルＴ１を用意した。一方、試験例として図１３Ｂ〜図１３ＥのテストサンプルＴ２〜Ｔ５を用意した。【００９２】サンプルＴ２は、軸Ｓｓ（図１１Ａ）に直交する面に沿ってメインソールＭＳが分断されている。サンプルＴ３は、４つの分割部Ｄ１，Ｄ２，Ｄ１１，Ｄ２１において軸Ｓｓ（図１１Ａ）及び軸Ｓｍ（図１１Ａ）に直交する面に沿ってメインソールＭＳが分断されている。サンプルＴ４及びＴ５は、それぞれ、サンプルＴ２及びＴ３の分割部Ｄ１，Ｄ２に連動するようにアッパー３の内外に柔軟部３３Ｓが斜めにもうけられている。なお、サンプルＴ１には前記分割部および柔軟部が設けられていない。【００９３】検証実験は１名の被験者について４ｍｉｎ／ｋｍの走速度で実施した。図１３Ａ〜図１３Ｅの靴と裸足での走行の比較を行った。走行中に足関節の屈曲伸展角度を測定し、前後方向および鉛直方向の地面反力を測定した。【００９４】つぎに、前記角度および前後方向の地面反力から最大推進力および推進力積を求めた。その値が図１４Ａおよび図１４Ｂに示される。これらの図から、前記分割部を有する各サンプルＴ２，Ｔ３，Ｔ４，Ｔ５は裸足やサンプルＴ１よりも同一速度での走行において、大きな最大推進力および推進力積が必要であることが分かった。【００９５】図１４Ｃに蹴り出しに要した足関節の仕事の比較結果を示す。同図から、分割部を設けたサンプルＴ２，Ｔ３，Ｔ４，Ｔ５の場合、仕事量が裸足やサンプルＴ１よりも大きい。そのため、下腿への負担が大きくなっていることが分かる。【００９６】このような結果が得られた理由は、メインソールＭＳの大きな剛性低下により、走行に重要な下腿三頭筋群がより使われるからであると推測される。したがって、これらの靴を着用して走行することで、高いトレーニング効果が期待できる。【００９７】つぎに、前記屈曲伸展角度から図１２Ａおよび図１２Ｂの踵部外反角β及び下腿内旋角γを求めた。その結果が図１５Ａおよび図１５Ｂに示される。踵部外反角βを比較した結果、サンプルＴ１では裸足よりも外反角βの絶対値が大きく、一方、サンプルＴ２，Ｔ３，Ｔ４，Ｔ５は裸足走行に近い関節角度となっていることが分かる。下腿内旋角γに関して、サンプルＴ１は、裸足よりも内旋角γの絶対値が小さく、一方、サンプルＴ２，Ｔ３，Ｔ４，Ｔ５は裸足走行に近い関節角度となっていることが分かる。【００９８】したがって、図１０の第２分割部Ｄ２が設けられることにより、より好ましくは溝１２Ｇや柔軟部３２Ｓ，３１Ｓ（図１）を設けることにより、裸足走行時の関節の動きに近い靴が得られることが分かる。【００９９】つぎに、鉛直方向の地面反力を単位時間で除算して、衝撃荷重の値を算出した。その結果を図１５Ｃに示す。同図からサンプルＴ２，Ｔ３，Ｔ４，Ｔ５はサンプルＴ１と同等の緩衝性を有し、裸足よりも衝撃値が小さく優れた緩衝性を有することが分かる。【０１００】前記図１３Ｂ〜図１３ＥのサンプルＴ２〜Ｔ５は、既存の靴のメインソールＭＳおよびアッパー３を改造して作成したものである、したがって、前記パドル（図８）を有していない。【０１０１】本発明の靴は、前記サンプルＴ２〜Ｔ５のような構造であってもよく、あるいは、前記サンプルＴ２〜Ｔ５の構造に前記パドル（図８）を付加したものであってもよい。【０１０２】図８のパドル５は各架設部５Ｆ，５Ｂが互いに分離されていてもよい。しかし、第１部１１〜第３部１３まで連なったパドル５はミッドソール１よりもヤング率が大きく、そのため、第２部１２の強化装置として役立つだろう。【０１０３】図８のパドル５が設けられている場合、パドル５に貫通孔５Ｈが設けられていなくてもよい。貫通孔５Ｈが設けられている場合、当該貫通孔５Ｈに対応するミッドソール１の上面に凸部が形成されて、貫通孔５Ｈにおけるミッドソール１の上面とパドル５の上面とが同程度のレベル（高さ）に設定されてもよい。【０１０４】図１６の他の例のように、本靴はメインソールＭＳの下面とメインソールＭＳの上面とに入れ子状に溝Ｇｍが設けられていてもよい。【０１０５】図１７Ａ〜図１７Ｄは他の例を示す。これらの図の例に示すように、分割部Ｄ１，Ｄ２においてメインソールの各部１１，１２，１３は下方に突出する架設部５Ｆ，５Ｂを介して互いに接していてもよい。また、分割部Ｄ１，Ｄ２において、前記架設部５Ｆ，５Ｂはミッドソール同士が互いに直接接することなく、アウトソール同士が互いに直接または間接的に接していてもよい。【０１０６】図１７Ｅ〜図１７Ｇは更に他の例を示す。これらの図においてインソール４の下面にはミッドソール１の上面が付着され、前記パドル５（図８）は設けられていない。これらの場合、ドット模様で示す接着ないし溶着された接合部１９を介して前記各分割部Ｄ１，Ｄ２を除いた部分においてミッドソール１同士が互いに結合されていてもよい。すなわち、ミッドソール１が架設部５Ｆ，５Ｂを構成してもよい。【０１０７】以上のとおり、図面を参照しながら好適な実施例を説明したが、当業者であれば、本明細書を見て、自明な範囲内で種々の変更および修正を容易に想定するであろう。たとえば、ミッドソールにはゲルや鞘様の緩衝パーツが設け���れていてもよい。また、メインソールは柔軟なミッドソールのような素材のみ、あるいは、アウトソールのみで形成されていてもよい。したがって、そのような変更および修正は、本発明の範囲内のものと解釈される。
【産業上の利用可能性】
【０１０８】  本発明はランニング用、ウォーキング用、トレーニング用など種々の靴に適用できる。
【符号の説明】
【０１０９】１：ミッドソール    ２：アウトソール１Ｂ：後端    １Ｆ：前端    １Ｌ：外側縁    １Ｍ：内側縁１１：第１部    １１Ｅ：第１係合部    １１Ｆ：第１傾斜面    １１Ｇ：溝１２：第２部  １２Ｂ：第３傾斜面    １２Ｅ：第２係合部    １２Ｆ：第２傾斜面    １２Ｇ：溝  １３：第３部    １３Ｂ：第４傾斜面    １３Ｃ：中央部    １３Ｅ：係合部１３１：斜め部    １９：接合部３：アッパー    ３１：内側面    ３１Ｈ：内側高剛性部    ３１Ｓ：内側柔軟部    ３２：外側面    ３２Ｈ：外側高剛性部    ３２Ｓ：外側柔軟部    ３３Ｓ：柔軟部３４Ｌ：抑制部材    ３４Ｍ：抑制部材    ３５：柔軟部    ３６：補強部    ３９：履き口４：インソール５：パドル    ５Ｂ：（第２）架設部    ５Ｆ：（第１）架設部      ５Ｈ：貫通孔    ５Ｗ：幅Ｂ１：第１趾    Ｂ５：第５趾    Ｂｃ：踵骨Ｂｓ，Ｂｍ：交差面Ｄ１：第１分割部    Ｄ２：第２分割部    Ｄ１１，Ｄ２１：分割部ＤＢ：後方    ＤＦ：前方    ＤＷ：幅方向    ＦＢ：前後方向Ｌｍ：最大長さＭＰ：中足趾節間関節    ＭＳ：メインソールＳＴＪ，ＭＴＪ：関節Ｓ：中心軸    Ｓｓ，Ｓｍ：軸Ｖｌ：横断線Ｗ，Ｗｂ：幅α、β、γ：角
【図１】
2016208061.tif 000003
【図２】
2016208061.tif 000004
【図３】
2016208061.tif 000005
【図４】
2016208061.tif 000006
【図５】
2016208061.tif 000007
【図６】
2016208061.tif 000008
【図７】
2016208061.tif 000009
【図８】
2016208061.tif 000010
【図９】
2016208061.tif 000011
【図１０】
2016208061.tif 000012
【図１１】
2016208061.tif 000013
【図１２】
2016208061.tif 000014
【図１３】
2016208061.tif 000015
【図１４】
2016208061.tif 000016
【図１５】
2016208061.tif 000017
【図１６】
2016208061.tif 000018
【図１７】
2016208061.tif 000019
【国際調査報告】
2016208061.tif 000020
2016208061.tif 000021
2016208061.tif 000022
2016208061.tif 000023